【手続補正書】
【提出日】平成16年5月19日(2004.5.19)
【手続補正１】
【補正対象書類名】明細書
【補正対象項目名】発明の名称
【補正方法】変更
【補正の内容】
【発明の名称】複数のネットワークを用いたファイル転送方法及びそのシステム、該システムを構成する端末装置及びその制御方法
【手続補正２】
【補正対象書類名】明細書
【補正対象項目名】特許請求の範囲
【補正方法】変更
【補正の内容】
【特許請求の範囲】
【請求項１】
インターネットと通信接続するインターネット接続手段と、ローカルネットワークと通信接続するローカルネットワーク接続手段との両接続手段を併せ持つ複数の端末機器を有するファイル転送システムであって、
第１端末機器にインターネット経由のファイル転送要求がなされた場合に、所望のファイルの転送を、前記ローカルネットワーク接続手段を使って前記複数の端末機器に振り分けるファイル転送振分手段と、
ファイル転送を振り分けられた前記複数の端末機器のそれぞれが個別にインターネット接続手段を用いてファイルの転送を実施した後、転送されたファイルを前記第１端末機器に集めて、前記所望のファイルを再構築することによって、前記所望のファイルの転送を行うファイル転送実行手段とを備えることを特徴とするファイル転送システム。
【請求項２】
インターネットと通信接続するインターネット接続手段と、ローカルネットワークと通信接続するローカルネットワーク接続手段との両接続手段を併せ持つ複数の端末機器を有するファイル転送システムにおけるファイル転送方法であって、
第１端末機器にインターネット経由のファイル転送要求がなされた場合に、所望のファイルの転送を、前記ローカルネットワーク接続手段を使って前記複数の端末機器に振り分けるファイル転送振分ステップと、
ファイル転送を振り分けられた前記複数の端末機器のそれぞれが個別にインターネット接続手段を用いてファイルの転送を実施するファイル転送実施ステップと、
転送されたファイルを前記第１端末機器に集めて、前記所望のファイルを再構築するファイル再構築ステップとを備えることを特徴とするファイル転送方法。
【請求項３】
第１のネットワークを介してファイルを第２のネットワークの端末機器に転送するファイル転送システムで使用される端末機器であって、
前記第１のネットワークと通信接続する第１のネットワーク接続手段と、
第２のネットワークと通信接続する第２のネットワーク接続手段と、
第１のネットワーク経由のファイル転送要求がなされた場合に、所望のファイルの転送を、前記第２のネットワーク接続手段を使って複数の端末機器に振り分けるファイル転送振分手段と、を備えることを特徴とする端末機器。
【請求項４】
更に、ファイル転送を振り分けられた前記複数の端末機器に転送されたファイルを集めて、前記所望のファイルを再構築するファイル再構築手段とを備えることを特徴とする請求項３記載の端末機器。
【請求項５】
前記第1のネットワークはインターネットであり、前記第２のネットワークはＰＡＮ(Personal Area Network)であることを特徴とする請求項３記載の端末機器。
【請求項６】
前記ファイル転送振分手段は、ファイル転送の振り分けに先立ち、第２のネットワークを構成し第１のネットワーク接続手段を有する端末機器の台数を把握し、台数に基づいて、ファイルの転送を担当する端末機器の振り分けを決定することを特徴とする請求項３乃至５のいずれかに記載の端末機器。
【請求項７】
前記ファイル転送振分手段は、所望のファイル転送処理の前にファイルを格納するサーバと通信を行い、該サーバにおいてファイルが分割管理されているか否かに応じてファイルを分割して転送するか否かを決定することを特徴とする請求項３乃至６のいずれかに記載の端末機器。
【請求項８】
前記ファイル転送システムは、第１のネットワーク上でファイル分割サービスを提供するサーバを更に備え、前記ファイル転送振分手段は、該サーバから報知される所望のファイルの分割情報に基づきファイル転送を振り分けることを特徴とする請求項３乃至７のいずれかに記載の端末機器。
【請求項９】
前記ファイル転送の振分は、分割された各ファイルのＵＲＬアドレスを報知することにより行われることを特徴とする請求項３乃至８のいずれかに記載の端末機器。
【請求項１０】
第２のネットワークを介した他の端末機器からの問合わせに応答して、ファイル転送の振り分けが可能か否かを返信する振分可否応答手段と、
第２のネットワークを介した他の端末機器からのファイル転送の振分指示に従って、ファイルを第１のネットワークを介して受信するファイルアクセス手段と、
第２のネットワークを介した他の端末機器からのファイル収集要求に応答して、前記第１のネットワークを介して受信したファイルを前記他の端末機器に送信するファイル送信手段とを備えることを特徴とする端末機器。
【請求項１１】
第１のネットワークを介してファイルを第２のネットワークの端末機器に転送するファイル転送システムで使用される端末機器の制御方法であって、
第１のネットワーク経由のファイル転送要求がなされた場合に、所望のファイルの転送を、第２のネットワークを介して複数の端末機器に振り分けるファイル転送振分ステップと、
前記複数の端末機器が前記第１のネットワークを介して受信したファイルを第２のネットワークを介して集めて、前記所望のファイルを再構築するファイル再構築ステップとを備えることを特徴とする端末機器の制御方法。
【請求項１２】
第２のネットワークを介した他の端末機器からの問合わせに応答して、ファイル転送の振り分けが可能か否かを返信する振分可否応答ステップと、
第２のネットワークを介した他の端末機器からのファイル転送の振分指示に従って、ファイルを第１のネットワークを介して受信するファイルアクセスステップと、
第２のネットワークを介した他の端末機器からのファイル収集要求に応答して、前記第1のネットワークを介して受信したファイルを前記他の端末機器に送信するファイル送信ステップとを備えることを特徴とする端末機器の制御方法。
【請求項１３】
インターネットを介してファイルをローカルネットワークの端末機器に転送するファイル転送システムで使用されるサーバであって、
１つのファイルを複数の部分に分割して記憶するファイル記憶手段と、
前記複数の部分と複数のＵＲＬアドレスを対応付けて記憶するＵＲＬアドレス記憶手段とを有することを特徴とするサーバ。
【請求項１４】
インターネットを介してファイルをローカルネットワークの端末機器に転送するファイル転送システムで使用されるサーバであって、
ファイルを格納する他のサーバから受信したファイルを複数の部分に分割して記憶するファイル分割手段と、
前記分割された複数の部分のそれぞれにＵＲＬアドレスを対応付けて割当て、該ＵＲＬアドレスを端末機器に報知するＵＲＬアドレス報知手段とを有することを特徴とするサーバ。
【手続補正３】
【補正対象書類名】明細書
【補正対象項目名】０００１
【補正方法】変更
【補正の内容】
【０００１】
【発明の属する技術分野】
本発明は、ＩＥＥＥ８０２．１１やBluetooth等の通信手段によるPAN(Personal Area Network)接続機能とダイアルアップ接続等の通信手段によるインターネット接続機能など、複数のネットワークへのアクセス機能を持つ端末を複数利用したファイル転送方法及びそのシステム、該システムを構成する端末装置及びその制御方法に関するものである。